(57)【要約】【課題】煩雑な操作を行うことなく、容易に画像を加工することが可能な画像形成装置を提供する。【解決手段】このプリンタ１（画像形成装置）は、画像を表示する液晶モニタ４と、ユーザの手のジェスチャを撮像するカメラ６と、カメラ６に撮像されるユーザの手の所定の画像の加工を連想させるジェスチャを検出するとともに、液晶モニタ４に表示された画像に対してユーザの手のジェスチャに対応する加工を行うように制御する制御部１０ａとを備える。【選択図】図３
2008250823.tif 000002
【特許請求の範囲】
【請求項１】
画像を表示する表示部と、
ユーザの手のジェスチャを撮像するカメラ部と、
前記カメラ部に撮像される前記ユーザの手の所定の画像の加工を連想させるジェスチャを検出するとともに、前記表示部に表示された前記画像に対して前記ユーザの手のジェスチャに対応する加工を行うように制御する制御部とを備える、画像形成装置。
【請求項２】
所定の手のジェスチャと、前記所定の手のジェスチャに対応する前記画像の加工の種類との組み合わせを記憶するためのジェスチャ記憶部をさらに備え、
前記制御部は、前記カメラ部に撮像された前記ユーザの手のジェスチャが前記ジェスチャ記憶部に記憶された前記所定の手のジェスチャと一致すると判断された場合に、一致した前記所定の手のジェスチャに対応する種類の前記画像の加工が行われるように制御するように構成されている、請求項１に記載の画像形成装置。
【請求項３】
前記ジェスチャ記憶部に記憶された前記画像の加工の種類は、前記画像の拡大と、前記画像の縮小と、前記画像の回転と、前記画像の印刷領域の変更との少なくとも１つを含む、請求項２に記載の画像形成装置。
【請求項４】
前記ジェスチャ記憶部に記憶された前記画像の加工の種類は少なくとも前記画像の拡大を含み、
前記画像の拡大の際には、前記ユーザの左右の手を所定の形に維持した状態から前記左右の手を互いに遠ざけるように移動させることにより前記画像が前記左右の手を遠ざける動きに合わせて拡大するように加工される、請求項２または３に記載の画像形成装置。
【請求項５】
前記表示部は、前記画像の加工の際に常に前記画像の印刷領域を表示するように構成されている、請求項２〜４のいずれか１項に記載の画像形成装置。
【発明の詳細な説明】
【技術分野】
【０００１】
この発明は、画像形成装置に関し、特に、表示部を備えた画像形成装置に関する。
【背景技術】
【０００２】
従来、表示部を備えた画像形成装置が知られている。また、カメラを備えるとともに、カメラを介して所定の動作を認識させることにより表示部などを制御する装置が知られている（たとえば、特許文献１〜３参照）。
【０００３】
上記特許文献１には、表示装置（表示部）と、制御部と、ＣＣＤカメラとを備えた自動拡大縮小制御装置が開示されている。この特許文献１に記載の自動拡大縮小制御装置では、予めユーザの目や眉などの動きを検知するセンサをユーザの目や眉に取り付ける。そして、取り付けられたセンサによりユーザの目や眉の動きがＣＣＤカメラを介して検知されるとともに、検知されたユーザの目や眉の動きに対応して表示装置に表示された文字の大きさを拡大または縮小するように加工されるように構成されている。
【０００４】
また、上記特許文献２には、表示部と、ＣＰＵ（制御部）と、ＣＣＤカメラとを備えた情報処理装置が開示されている。この特許文献２に記載の情報処理装置では、表示部の画面上にさらに小さな表示画面（ウィンドウ）が表示されるとともに、この表示画面にはＣＣＤカメラに撮像されたユーザ自身が表示される。そして、表示画面内の上下左右の端部には矩形状の枠がユーザとともに表示され、表示画面においてユーザが上下左右に表示されたいずれかの矩形状の枠に重なる位置にまで手をかざすことにより、ユーザの手と重なる枠の方向側（上下左右の方向のいずれか）に表示部の画面がスクロールするように構成されている。
【０００５】
また、上記特許文献３には、制御部を含み、制御機器として設けられたカメラを備えた機器制御装置が開示されている。この特許文献３に記載の機器制御装置では、カメラはユーザの動きを常に捉えているとともに、ユーザが指を立てる動作を検知した場合に立てた指の本数および立てた指の方向の種類にそれぞれ対応する制御を行うように構成されている。具体的には、ユーザが指を上方向に１本立てると機器制御装置の電源がＯＮになるとともに、指を下方向に１本立てると機器制御装置のスイッチがＯＦＦになるように制御される。
【０００６】
【特許文献１】特開２００６−０８５３３４号公報
【特許文献２】特開２００２−１１６８５９号公報
【特許文献３】特開２００１−００５９７５号公報
【発明の開示】
【発明が解決しようとする課題】
【０００７】
しかしながら、上記特許文献１に記載の自動拡大縮小制御装置では、ユーザに取り付けたセンサを介して目や眉の動きを認識することによって文字が拡大または縮小するように加工されるように制御される一方で、装置本体をユーザの動作を認識させることにより制御するために、ユーザ自身にセンサを取り付けなければならない。また、画像の加工の処理を行う場合に、ユーザは、画像の加工の種類とは全く関連のないユーザの目や眉の動きを、各画像の加工処理と対応させて記憶しておかなければならないという不都合がある。その結果、画像の加工処理を行う際の操作性を向上させるのが困難であるという問題点がある。
【０００８】
また、上記特許文献２に記載の情報処理装置では、表示画面（ウィンドウ）内においてユーザの手と重なる枠の方向に表示部の画面がスクロールするように構成されている一方で、画像の加工を行う処理は行われないと考えられる。
【０００９】
また、上記特許文献３に記載の機器制御装置では、ユーザの指の本数および指の指す方向のそれぞれに対応する動作を行うように装置本体が制御されるように構成されている一方で、ユーザは、装置本体を動作させるために、動作とは全く関連のない指の本数および指の指す方向を各動作と対応させて記憶しておかなければならない。また、この特許文献３のユーザの指の本数および方向による操作方法をたとえ画像の加工処理を行う場合の操作に適用したとしても、各画像の加工処理とは全く関連のない指の本数および指の示す方向を各画像の加工処理に対応させて記憶する必要があるという不都合がある。その結果、画像の加工処理を行う際の操作性を向上させるのが困難であるという問題点がある。
【００１０】
この発明は、上記のような課題を解決するためになされたものであり、この発明の１つの目的は、加工の種類を容易に記憶可能にすることにより、容易に画像を加工することが可能な画像形成装置を提供することである。
【課題を解決するための手段および発明の効果】
【００１１】
この発明の第１の局面による画像形成装置は、画像を表示する表示部と、ユーザの手のジェスチャを撮像するカメラ部と、カメラ部に撮像されるユーザの手の所定の画像の加工を連想させるジェスチャを検出するとともに、表示部に表示された画像に対してユーザの手のジェスチャに対応する加工を行うように制御する制御部とを備える。
【００１２】
この第１の局面による画像形成装置では、上記のように、表示部に表示された画像がユーザの手の所定の画像の加工を連想させるジェスチャに対応する加工を行うように制御する制御部を備えるように構成することによって、ジェスチャが画像の加工の種類を連想させるものであるので、ユーザは、画像の加工の種類と、ジェスチャとの対応関係を容易に記憶することができる。その結果、画像の加工処理を行う際の操作性を向上させることができる。また、手のジェスチャを用いて画像の加工を行うことによって、ボタン操作などによる画像の加工の処理に比べても、より直感的に画像の加工の操作を行うことができるので、これによっても、画像の加工を行う際の操作性を向上させることができる。
【００１３】
上記第１の局面による画像形成装置において、好ましくは、所定の手のジェスチャと、所定の手のジェスチャに対応する画像の加工の種類との組み合わせを記憶するためのジェスチャ記憶部をさらに備え、制御部は、カメラ部に撮像されたユーザの手のジェスチャがジェスチャ記憶部に記憶された所定の手のジェスチャと一致すると判断された場合に、一致した所定の手のジェスチャに対応する種類の画像の加工が行われるように制御するように構成される。このように構成すれば、カメラ部に撮像されたジェスチャのうちジェスチャ記憶部に記憶された手のジェスチャに一致すると判断された場合にのみそのジェスチャに対応する画像の加工が行われるので、カメラ部に撮像された画像の加工に対応しない手のジェスチャに起因して誤って画像が加工されることを抑制することができる。
【００１４】
上記第１の局面による画像形成装置において、好ましくは、ジェスチャ記憶部に記憶された画像の加工の種類は、画像の拡大と、画像の縮小と、画像の回転と、画像の印刷領域の変更との少なくとも１つを含む。このように構成すれば、少なくとも画像の拡大、縮小、回転および画像の印刷領域の変更のいずれかの画像の加工を行うことができるので、容易に画像を加工することができる。
【００１５】
上記第１の局面による画像形成装置において、好ましくは、ジェスチャ記憶部に記憶された画像の加工の種類は少なくとも画像の拡大を含み、画像の拡大の際には、ユーザの左右の手を所定の形に維持した状態から左右の手を互いに遠ざけるように移動させることにより画像が左右の手を遠ざける働きに合わせて拡大するように加工される。このように構成すれば、ユーザの左右の手を互いに遠ざけるように移動させるジェスチャに基づいて画像が拡大されるように加工されるので、より容易に画像の拡大の操作を記憶することができるとともに画像を拡大することができる。
【００１６】
上記第１の局面による画像形成装置において、好ましくは、表示部は、画像の加工の際に画像の印刷領域を表示するように構成されている。このように構成すれば、画像の印刷領域を認識しながら画像を加工することができるので、印刷後の画像の印刷領域の状態を容易に把握することができる。
【発明を実施するための最良の形態】
【００１７】
以下、本発明の実施形態を図面に基づいて説明する。
【００１８】
図１は、本発明の一実施形態によるプリンタの全体構成を示す斜視図である。図２は、本発明の一実施形態によるプリンタの液晶モニタ、ボタン部およびカメラの正面拡大図である。図３は、本発明の一実施形態によるプリンタの構成を示すブロック図である。まず、図１〜図３を参照して、本発明の一実施形態によるプリンタ１の構成を説明する。なお、プリンタ１は、本発明の「画像形成装置」一例である。また、液晶モニタ４は、本発明の「表示部」の一例である。
【００１９】
本発明の一実施形態によるプリンタ１には、図１に示すように、プリンタ１の前面部に給紙カートリッジ２０を着脱可能に装着するための用紙供給口２が設けられている。また、図１および図２に示すように、プリンタ１の上面部には電源ボタン３と、液晶モニタ４と、選択ボタン５ａおよび決定ボタン５ｂからなる操作ボタン５と、カメラ６とが設けられている。液晶モニタ４は、後述するＵＳＢＩ／Ｆ部７、デジタルカメラＩ／Ｆ部８およびメモリカードＩ／Ｆ部９などを介して外部から受信した画像を一覧表示する機能を有している。また、液晶モニタ４は、一覧表示された画像を選択することにより選択された画像のみを拡大表示するように構成されているとともに、拡大表示した画像をプリンタ１により印刷することを選択可能なように構成されている。また、選択ボタン５ａおよび決定ボタン５ｂは、液晶モニタ４に一覧表示された画像の選択および決定を行う際に、選択ボタン５ａを押圧することにより画像を選択するとともに、決定ボタン５ｂを押圧することにより画像を決定するように構成されている。また、選択ボタン５ａおよび決定ボタン５ｂは、液晶モニタ４に表示される種々の指示に従って操作するために設けられている。また、カメラ６は、カメラ６の撮像領域においてユーザのジェスチャ（所定の画像の加工を連想させる手振りや手まね）を撮像するために設けられている。
【００２０】
また、プリンタ１の一方側面には、図１および図３に示すように、ＵＳＢケーブル接続部７ａを有するＵＳＢＩ／Ｆ部７と、カメラケーブル接続部８ａを有するデジタルカメラＩ／Ｆ部８と、メモリカード挿入孔９ａを有するメモリカードＩ／Ｆ部９とが設けられている。ＵＳＢＩ／Ｆ部７は、ＵＳＢケーブルを介して接続されたＰＣ（パーソナルコンピュータ）（図示せず）などから画像を受信するために設けられている。また、デジタルカメラＩ／Ｆ部８は、Ｐｉｃｔ  Ｂｒｉｄｇｅ印刷を行うために設けられている。なお、Ｐｉｃｔ  Ｂｒｉｄｇｅ印刷とは、デジタルカメラとプリンタとを直接接続して印刷を行うという印刷方法である。また、メモリカードＩ／Ｆ部９は、メモリカード（図示せず）に保存された画像を読み込むために設けられている。
【００２１】
また、図３に示すように、カメラ６は、レンズ６ａとＣＣＤセンサなどからなる撮像素子６ｂとを含んでいる。
【００２２】
また、図３に示すように、プリンタ１の内部には、制御回路部１０が設けられている。制御回路部１０は、ＣＰＵからなる制御部１０ａを備えているとともに、制御部１０ａはユーザの手のジェスチャを検出する機能を有するジェスチャ検出部１０ｂを含んでいる。
【００２３】
ここで、本実施形態では、制御回路部１０は、所定の手のジェスチャと、所定の手のジェスチャに対応する画像の加工の種類との組み合わせを記憶するためのジェスチャ記憶部１０ｃを備えている。
【００２４】
また、制御回路部１０は、制御部１０ａおよびジェスチャ記憶部１０ｃに加えて、フラッシュメモリ部１０ｄと、メモリカードコントローラ１０ｅと、ヘッドコントローラ１０ｆとを備えている。
【００２５】
ここで、本実施形態では、制御部１０ａは、カメラ６に撮像されるユーザの手の所定の画像の加工を連想させるジェスチャをジェスチャ検出部１０ｂにより検出するとともに、液晶モニタ４に表示された画像に対してユーザの手のジェスチャに対応する加工を行うように制御するように構成されている。
【００２６】
また、本実施形態では、ユーザの手のジェスチャに基づく画像の加工の種類は、画像の拡大と、画像の縮小と、画像の回転と、画像の印刷領域の変更とからなる４種類の画像の加工によって構成されている。本実施形態では、この４種類の画像の加工を手のジェスチャに基づいて行うことが可能なように構成されている。
【００２７】
また、本実施形態では、制御部１０ａは、カメラ６に撮像されたユーザの手のジェスチャがジェスチャ記憶部１０ｃに記憶された所定の手のジェスチャと一致すると判断された場合に、一致した所定の手のジェスチャに対応する種類の画像の加工が行われるように制御するように構成されている。すなわち、本実施形態では、ジェスチャ検出部１０ｂにより所定の画像の加工に対応する手のジェスチャが検出された際に、検出された手のジェスチャとジェスチャ記憶部１０ｃに記憶された所定の手のジェスチャとが一致すると判断された場合に、一致した所定の手のジェスチャに対応する画像の加工が行われる。
【００２８】
また、本実施形態では、液晶モニタ４は、画像の加工の際に画像の印刷領域を表示するように構成されている。つまり、画像の加工を行う際に液晶モニタ４の表示領域がそのまま画像の印刷領域になるように構成されている。
【００２９】
また、制御部１０ａは、印刷動作全体を制御する機能を有している。また、フラッシュメモリ部１０ｄは、制御部１０ａにより実行される制御プログラムが記憶されている。また、メモリカードコントローラ１０ｅは、メモリカード内のデータの転送を行うために設けられている。また、ヘッドコントローラ１０ｆは、印刷時にプリンタ１の印字ヘッド１１（図３参照）の発熱体（図示せず）に電圧パルスを印加することによって、発熱体の温度を制御する機能を有している。
【００３０】
図４は、本発明の一実施形態によるプリンタにより画像を印刷する際に手のジェスチャを検出させることにより画像を加工する際の制御部における制御フローを示したフローチャートである。図５〜図１４は、画像の加工を行う際の動作を説明するための図である。次に、図１〜図１４を参照して、本発明の一実施形態によるプリンタ１の制御部１０ａにおける所定の手のジェスチャを検出させることにより画像を加工する際の制御について説明する。
【００３１】
まず、図４に示すステップＳ１において、図５に示すように、プリンタ１の液晶モニタ４（図１および図２参照）に縮小画像を表示させる。ここで表示される縮小画像は、ＰＣ（パーソナルコンピュータ）、デジタルカメラおよびメモリカードなどに保存されている画像をＵＳＢＩ／Ｆ部７、デジタルカメラＩ／Ｆ部８およびメモリカードＩ／Ｆ部９（図３参照）を介して出力させた画像である。また、ステップＳ１において、図５に示すように、液晶モニタ４には、画像が一覧表示されるとともに一覧表示された画像を選択するためのカーソル４ａが表示される。そして、ユーザがプリンタ１の選択ボタン５ａおよび決定ボタン５ｂ（図１および図２参照）を介してカーソル４ａを操作することにより画像を選択する。そして、ステップＳ２において、画像が選択されたか否かが判断されるとともに、画像が選択されたと判断された場合には、ステップＳ３に進み、選択された画像が拡大表示される（図６参照）。また、画像が選択されないと判断された場合には、制御部１０ａは画像が選択されるまでこのステップＳ２の処理を繰り返し行う。
【００３２】
また、ステップＳ３において、図６に示すように、選択された画像が拡大表示された際には、拡大表示された画像とともに選択された画像を印刷するか否かを選択する選択部４ｂが表示される。そして、ステップＳ４において、選択された画像の印刷指示が有るか否かが判断される。つまり、ステップＳ３において表示された選択部４ｂにおいて、選択肢４ｂの選択肢「ｙｅｓ」を選択（画像の印刷指示を行う選択）する場合と、選択部４ｂの選択肢「ｎｏ」を選択（画像の印刷指示を行わない選択）する場合とのいずれかの選択肢を選択したかが判断される。ここで、ステップＳ４において、画像の印刷指示有りと判断された場合（選択肢「ｙｅｓ」が選択された場合）には、ステップＳ５に進む一方で、画像の印刷指示なしと判断された場合（選択肢「ｎｏ」が選択された場合）には、画像の印刷は行わないと判断されて処理が終了する。なお、ステップＳ４において、選択肢「ｙｅｓ」および「ｎｏ」のいずれの選択肢も選択されない場合は、液晶モニタ４に拡大画像が表示された状態（図６の状態）が維持される。
【００３３】
また、ステップＳ４において画像の印刷指示有りと判断された場合には、ステップＳ５に進み、図７に示すように、選択された画像が液晶モニタ４の表示領域の全域に渡って表示されるとともにプリンタ１のカメラ６（図１および図２参照）が起動する。そして、カメラ６の撮影領域においてジェスチャの検出が開始されるとともに、ステップＳ６に進み、カメラ６の撮影領域においてジェスチャが検出されたか否かが判断される。ステップＳ６において、ジェスチャが検出されたと判断された場合は、ステップＳ７に進み、ジェスチャ検出部１０ｂ（図３参照）により検出されたジェスチャの動作部分が抽出されるとともに、ステップＳ８に進み、抽出されたジェスチャの動作部分がジェスチャ記憶部１０ｃ（図３参照）に予め登録されたいずれかのジェスチャと一致するか否かが判断される。そして、ステップＳ８において、抽出されたジェスチャの動作部分が予め登録されているいずれかのジェスチャと一致すると判断された場合には、ステップＳ９に進み、液晶モニタ４に表示された画像（図７の状態で表示）は、登録されたジェスチャに基づく画像の加工に従って加工される。すなわち、カメラ６の撮影領域で行ったジェスチャが予め登録されたジェスチャと一致すると判断された場合に、登録されたジェスチャに対応する加工の種類に従って加工される。
【００３４】
ここで、本実施形態では、ジェスチャ記憶部１０ｃに記憶された画像の加工の種類は、画像の拡大と、画像の縮小と、画像の回転と、画像の印刷領域の変更とを含む。画像の拡大の際には、ユーザの左右の手を、図８に示すような画像を囲むような形に維持した状態から、図９に示すように左右の手を互いに遠ざけるように移動させる（図９の矢印Ａ方向に移動させる）ことにより、画像が、左右の手を互いに遠ざける動きに合わせて拡大するように加工される。これにより、たとえば、液晶モニタ４に表示されている画像は、図７の状態から図１０の状態に拡大するように加工される。なお、図１０における拡大画像は、図７に示す破線Ｘで囲われる部分を拡大表示した場合を示している。また、画像の縮小の際には、図１１に示すように、左右の手を互いに近づけるように移動させる（図１１の矢印Ｂ方向に移動させる）ことにより、画像が、左右の手を互いに近づける動きに合わせて縮小するように加工される。これにより、たとえば、液晶モニタ４に表示されている画像は、図１０の状態から図１２の状態に縮小するように加工される。なお、図１２における縮小画像は、図７に示す破線Ｘで囲われる部分が表示された状態から破線Ｙで囲われる部分にまで縮小した画像を示している。
【００３５】
また、本実施形態では、画像の回転の際には、図１３に示すように、左右の手を所定の形（図８の画像を囲むような形）に維持した状態で回転させる（図１３の矢印Ｃ方向に回転させる）ことにより、画像が、左右の手を回転させる動きに合わせて矢印Ｃ方向に回転するように加工される。これにより、たとえば、液晶モニタ４に表示されている画像は、図１２の状態から図１４の状態に回転するように加工される。また、画像の印刷領域の変更の際には、ユーザの左右の手を所定の形（図８の画像を囲むような形）に維持した状態でカメラ６の撮影領域に対して平行に移動させる（図８の矢印Ｄ方向に移動させる）ことにより、画像が、左右の手を移動させる動きに合わせてスクロールするように表示されるように加工される。すなわち、液晶モニタ４の表示領域は、画像を加工する際には表示領域全域に渡って画像の印刷領域が表示されるように常に表示されるので、画像をスクロールさせる動作がそのまま画像の印刷領域を変更する動作になる。
【００３６】
また、ステップＳ６において、ジェスチャの検出がないと判断された場合は、画像の加工が行われないままの状態（図７の状態）で、液晶モニタ４に画像が表示され続ける。また、ステップＳ８において、抽出されたジェスチャの動作部分が予め登録されたいずれかのジェスチャと一致しないと判断された場合にも、画像の加工が行われないままの状態（図７の状態）で、液晶モニタ４に画像が表示され続ける。
【００３７】
そして、ステップＳ６において、ジェスチャの検出がないと判断された場合、ステップＳ８において、抽出されたジェスチャの動作部分が予め登録されたいずれのジェスチャとも一致しないと判断された場合、および、ステップＳ９においてジェスチャにより画像が加工された場合に、ステップＳ１０において、決定ボタン５ｂ（図１および図２参照）が押下されたか否かが判断される。そして、決定ボタン５ｂが押下されたと判断された場合には、ステップＳ１１に進み、画像の印刷が開始される一方で、決定ボタン５ｂが押下されないと判断された場合には、ステップＳ６に戻り、ジェスチャの検出が続行される。以上のような制御を制御部１０ａが行うことにより、ユーザは、決定ボタン５ｂを押下しない限り画像の加工の処理を継続することが可能であるとともに、画像の印刷を行う際に、その都度、画像の加工の処理を行うことが可能である。
【００３８】
本実施形態では、上記のように、液晶モニタ４に表示された画像がユーザの手の所定の画像の加工を連想させるジェスチャに対応する加工を行うように制御する制御部１０ａを備えるように構成することによって、ジェスチャが画像の加工の種類を連想させるものであるので、ユーザは、画像の加工の種類と、ジェスチャとの対応関係を容易に記憶することができる。その結果、画像の加工処理を行う際の操作性を向上させることができる。また、手のジェスチャを用いて画像の加工を行うことによって、ボタン操作などによる画像の加工の処理に比べても、より直感的に画像の加工の操作を行うことができるので、これによっても、画像の加工を行う際の操作性を向上させることができる。
【００３９】
また、本実施形態では、所定の手のジェスチャと、所定の手のジェスチャに対応する画像の加工の種類との組み合わせを記憶するためのジェスチャ記憶部１０ｃをさらに備え、制御部１０ａは、カメラ６に撮像されたユーザの手のジェスチャがジェスチャ記憶部１０ｃに記憶された所定の手のジェスチャと一致すると判断された場合に、一致した所定の手のジェスチャに対応する種類の画像の加工が行われるように制御するように構成することによって、カメラ６に撮像されたジェスチャにおいてジェスチャ記憶部１０ｃに記憶された手のジェスチャに一致すると判断された場合にのみそのジェスチャに対応する画像の加工が行われるので、カメラ６に撮像された画像の加工に対応しない手のジェスチャに起因して誤って画像が加工されることを抑制することができる。
【００４０】
また、本実施形態では、ジェスチャ記憶部１０ｃに記憶された画像の加工の種類は、画像の拡大と、画像の縮小と、画像の回転と、画像の印刷領域の変更とを含むように構成することによって、画像の拡大、縮小、回転および画像の印刷領域の変更との４種類の画像の加工を行うことができるので、容易に画像を加工することができる。
【００４１】
また、本実施形態では、ジェスチャ記憶部１０ｃに記憶された画像の加工の種類は画像の拡大、画像の縮小、画像の回転および画像の印刷領域の変更を含み、画像の拡大の際には、ユーザの左右の手を所定の形に維持した状態から左右の手を互いに遠ざけるように移動させることにより画像が左右の手を遠ざける動きに合わせて拡大するように加工されるように構成することによって、液晶モニタ４に表示された画像が、ユーザの左右の手を互いに遠ざけるように移動させるジェスチャに基づいて拡大するように加工されるので、より容易に画像の拡大の操作を記憶することができるとともに画像を拡大することができる。また、画像の縮小の際には、ユーザの左右の手を所定の形に維持した状態から左右の手を互いに近づけるように移動させることにより画像が左右の手を近づける動きに合わせて縮小するように加工されるように構成することによって、表示された画像が、ユーザの左右の手を互いに遠ざけるように移動させるジェスチャに基づいて縮小するように加工されるので、より容易に画像の縮小の操作を記憶することができるとともに画像を縮小することができる。
【００４２】
また、本実施形態では、画像の回転の際には、ユーザの左右の手を所定の形に維持した状態で回転させることにより、左右の手を回転させる動きに合わせて画像が回転するように加工されるように構成することによって、表示された画像が、ユーザの左右の手を回転させるジェスチャに基づいて回転するように加工されるので、より容易に画像の回転の操作を記憶することができるとともに画像を回転することができる。また、画像の印刷領域の変更の際には、ユーザの左右の手を所定の形に維持した状態でカメラの印刷領域に対して平行に移動させることにより、左右の手を移動させる動きに合わせて液晶モニタ４の表示領域が移動するように表示されるように加工されるように構成することによって、表示された画像が、ユーザの左右の手をカメラ６の印刷領域に対して平行に移動させるジェスチャに基づいてスクロールするように表示されるように加工されるので、より容易に画像の印刷領域の変更の操作を記憶することができるとともに画像の印刷領域を変更することができる。
【００４３】
また、本実施形態では、液晶モニタ４を、画像の加工の際に画像の印刷領域を表示するように構成することによって、画像の印刷領域を認識しながら画像を加工することができるので、印刷後の画像の印刷領域の状態を容易に把握することができる。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
たとえば、本実施形態において、手を回転させるなどの動作的な所定の画像の加工を連想させるジェスチャに基づいて画像を加工する例を示したが、本発明はこれに限らず、所定の手の形を示すなどの静止的な所定の画像の加工を連想させるジェスチャに基づいて画像を加工する場合も適用可能である。
【００４６】
また、本実施形態において、所定の手のジェスチャおよび所定の手のジェスチャに基づく画像の加工の種類の組み合わせとして画像の拡大、画像の縮小、画像の回転および画像の印刷領域の変更の４つの組み合わせを示したが、本発明はこれに限らず、所定の画像の加工を連想させる手のジェスチャに基づく加工であれば、手のジェスチャおよび手のジェスチャに基づく加工の組み合わせとして、他の組み合わせを追加してもよい。
【図面の簡単な説明】
【００４７】
【図１】本発明の一実施形態によるプリンタの全体構成を示す斜視図である。
【図２】図１に示した本発明の一実施形態によるプリンタの液晶モニタ、ボタン部およびカメラの正面拡大図である。
【図３】図１に示した本発明の一実施形態によるプリンタの構成を示すブロック図である。
【図４】図１に示した本発明の一実施形態によるプリンタにより印刷する画像をジェスチャに基づいて加工する際の制御部における制御フローを示したフローチャートである。
【図５】図１に示した本発明の一実施形態によるプリンタの液晶モニタに表示される画面を説明するための図である。
【図６】図１に示した本発明の一実施形態によるプリンタの液晶モニタに表示される画面を説明するための図である。
【図７】図１に示した本発明の一実施形態によるプリンタの液晶モニタに表示される画面を説明するための図である。
【図８】本発明の一実施形態によるプリンタにより印刷する画像をジェスチャに基づいて加工する際の手のジェスチャにおける動作について説明するための図である。
【図９】本発明の一実施形態によるプリンタにより印刷する画像をジェスチャに基づいて加工する際の手のジェスチャにおける動作について説明するための図である。
【図１０】図１に示した本発明の一実施形態によるプリンタの液晶モニタに表示される画面を説明するための図である。
【図１１】本発明の一実施形態によるプリンタにより印刷する画像をジェスチャに基づいて加工する際の手のジェスチャにおける動作について説明するための図である。
【図１２】図１に示した本発明の一実施形態によるプリンタの液晶モニタに表示される画面を説明するための図である。
【図１３】本発明の一実施形態によるプリンタにより印刷する画像をジェスチャに基づいて加工する際の手のジェスチャにおける動作について説明するための図である。
【図１４】図１に示した本発明の一実施形態によるプリンタの液晶モニタに表示される画面を説明するための図である。
【符号の説明】
【００４８】
１          プリンタ（画像形成装置）
４          液晶モニタ（表示部）
６          カメラ（カメラ部）
１０ａ      制御部
１０ｃ      ジェスチャ記憶部
【図１】
2008250823.tif 000003
【図２】
2008250823.tif 000004
【図３】
2008250823.tif 000005
【図４】
2008250823.tif 000006
【図５】
2008250823.tif 000007
【図６】
2008250823.tif 000008
【図７】
2008250823.tif 000009
【図８】
2008250823.tif 000010
【図９】
2008250823.tif 000011
【図１０】
2008250823.tif 000012
【図１１】
2008250823.tif 000013
【図１２】
2008250823.tif 000014
【図１３】
2008250823.tif 000015
【図１４】
2008250823.tif 000016